(57)【要約】      （修正有）【課題】高所作業用安全帯のランヤードにおいて、ランヤードを使用しない時は、ランヤードが垂れ下がることなくコンパクトに巻取り収納でき、ランヤードを使用する時は、ランヤードが縺れることなく一気に使用状態となる安全帯用ランヤード収納具を提供する。【解決手段】基板１１に立設したランヤード巻取片１４と、その先端に外側に曲げた保持片１５を設けた掛け具を形成する。基板１１の中央部に回動自在に蝶着した接着板２１の他端に直角に立設したランヤード巻取片１４と、ランヤード巻取片１４の先端に外側に曲げた保持片１５を形成する。互いのランヤード巻取片１４は平行で、それぞれの保持片１５は中心線を同一にして直線的に配置され、基板１１の何れかの辺にベルト挿通孔を穿設し、接着板２１の裏面、或いは基板１１の接着板２１の相対する位置の面に仮固定部材を配置する。【選択図】図２
0003179472.tif 000002
【実用新案登録請求の範囲】
【請求項１】
安全帯用のランヤードを巻取り収納することができる収納具であって、
矩形の鋼板でなる基板の一端に直角に立設したランヤード巻取片と、前記ランヤード巻取片の先端に外側方向に曲げた保持片からなる掛け具と、
前記基板の中央部に蝶番により回動自在に蝶着した矩形の接着板の他端に直角に立設したランヤード巻取片と、前記ランヤード巻取片の先端に外側方向に曲げた保持片からなる掛け具を設けて、それぞれの保持片が外側へ向くよう構成すると共に、
互いに平行に基板及び接着板に立設されたランヤード巻取片より伸びるそれぞれの保持片は中心線を同一にして直線的に配置されており、
前記基板上には相対する何れかの辺に沿ってベルト挿通孔をそれぞれ穿設し、
接着板の裏面と基板の接着板に相対する位置の面の間に両者を軟接着する仮固定部材を配置したことを特徴とする安全帯用ランヤード収納具。
【請求項２】
前記仮固定部材は、所定磁力を有する永久磁石を前記接着板の裏面若しくは基板の接着板に相対する位置の面に配置したことを特徴とする請求項１項に記載の安全帯用ランヤード収納具。
【請求項３】
前記仮固定部材は、面ファスナーのフック面と面ファスナーのループ面を、前記接着板の裏面と基板の接着板に相対する位置の面に相対して配置したことを特徴とする請求項１項に記載の安全帯用ランヤード収納具。
【請求項４】
前記仮固定部材は、プレス成型による凹凸を、前記接着板の裏面と基板の接着板に相対する位置の面に相対して配置したことを特徴とする請求項１項に記載の安全帯用ランヤード収納具。
【考案の詳細な説明】
【技術分野】
【０００１】
本願は、高所で作業する際に使用する安全帯に関するものであり、安全帯用ランヤードおよびフックの収納に関するものである。
【背景技術】
【０００２】
建築現場等の高所で作業を行なう作業者は、墜落災害防止の目的で安全帯を使用する。この安全帯は、胴ベルトと、ロープ等で構成されるランヤードと、フックとからなる。作業者は胴ベルトを自らの腰部に巻き、ランヤードのフックを作業現場の堅牢な箇所に掛け止める。作業者が足を踏み外して墜落した場合、胴ベルト、ランヤード及びフックを介して、作業者は吊り下げられる。このようにして、作業者の墜落による事故が防止される。
高所作業の現場において、安全帯を装着した作業者は手にフックを持ち、ランヤード先端のフックを、落下阻止時の衝撃荷重を低減させるために作業者の腰よりも高い位置で、落下阻止時の衝撃荷重で破損することのない堅牢な取付け部材に掛け止めながら、作業現場を移動していく。しかしながら、安全帯を使用しなくてよい現場、例えば地上での作業時では、作業者は作業の邪魔になるので、使用することのないランヤードを収納することが必要となる。この為に、作業者はフックとランヤードを胴ベルトの所定位置に吊下げた収納袋に入れたり、フックハンガーに掛けたりして対応した。
【０００３】
フックとランヤードをランヤード用ロープ収納袋に収納した場合、収納袋の中で、ランヤードとフックが絡まることもあった。
又、ランヤードのフックをフックハンガーに掛けた場合、ランヤードの一端は腰部に装着している安全帯に取付けられていることから、ランヤードの半分の長さが腰部から垂れ下がるので、ランヤードとフックは絡まることがなくなった。しかし、作業中に垂れ下がった箇所が構造物に接触し、転倒する危険は残っていた。
この状態を回避する為、特開２００９−７２５３１号の発明のように、垂れ下がったランヤードの余長部を輪状にし、輪状箇所を掛けることができる掛片を備えたランヤード掛具を発明した。しかしながら、ランヤードは複数個所、掛片に掛けられていることから、ランヤードを使用する場合、輪状にしたランヤードを縺れることなくランヤード掛具の掛片から取り外すことが必要であった。
【先行技術文献】
【特許文献】
【０００４】
【特許文献１】特開２００９−７２５３１号
【考案の概要】
【考案が解決しようとする課題】
【０００５】
作業者が作業現場まで移動する際、ランヤードが垂れ下がることなくコンパクトに収納でき、ランヤードを使用する際はランヤードが縺れることなく一気に使用状態にすることができる機構を有する安全帯用ランヤード収納具を提供することがその目的である。
【課題を解決するための手段】
【０００６】
本考案は、この目的を達成すべく、安全帯用のランヤードを巻取り収納することができるランヤード収納具を考案した。本考案の第１の態様について記載する。
矩形の鋼板でなる基板に直角に立設したランヤード巻取片と、その先端に外側に曲げた保持片を設けて、掛け具を形成する。
基板の中央部に蝶番により回動自在に蝶着した矩形の接着板の他端に直角に立設したランヤード巻取片と、ランラード巻取片の先端に外側方向に曲げた保持片からなる掛け具を設けて、それぞれの保持片が外側へ向くように構成する。
互いに平行に基板及び接着板に立設されたランヤード巻取片より伸びるそれぞれ保持片は、中心線を同一にして直線的に配置されている。
基板上の相対する何れかの辺に沿ってベルト挿通孔をそれぞれ穿設している。
接着板の裏面、或いは基板の接着板の相対する位置の面の間に仮固定部材を配置し、両者を軟接着する。この軟接着による保持力は、ランヤードの長さとフックの自重を保持できる力をいう。以上の構成で安全帯用ランヤード収納具は形成される。
【０００７】
本考案の第１の態様では、仮固定部材は、所定磁力を有する永久磁石を接着板の裏面若しくは基板の接着板に相対する位置の面に相対して配置するものである。
【０００８】
本考案の第２の態様では、仮固定部材は、面ファスナーのフック面と面ファスナーのループ面を、接着板の裏面と基板の接着板に相対する位置の面に相対して配置するものである。
【０００９】
本考案の第３の態様では、仮固定部材は、プレス成型による凹凸を、接着板の裏面と基板の接着板に相対する位置の面に相対して配置するものである。
【考案の効果】
【００１０】
この安全帯用ランヤード収納具を胴ベルトの所定位置に、ベルト挿通孔にベルトを挿通することで取付ける。安全帯用ランヤードを使用しない時、ランヤードはそれぞれの掛け具の間でコンパクトに巻取り収納でき、ランヤード用フックを上方の構造物に掛止しようとすると、接着板に立設したランヤード巻取片の先端に外側に曲げた保持片に回転方向の力が作用して、仮固定している基板と接着板が分離することで輪状のランヤード巻取りが一気に解け、ランヤードは使用状態になるものである。
【図面の簡単な説明】
【００１１】
【図１】本考案の実施例１に係る安全帯用ランヤード収納具であり、（ａ）は正面図、（ｂ）は右側面図。
【図２】本考案の実施例１に係る安全帯用ランヤード収納具の立体図
【図３】本考案の実施例１に係る安全帯用ランヤード収納具であり、ランヤード先端のフックを掛けて、ランヤードを巻き取った状態を示す正面図
【図４】本考案の実施例２に係る安全帯用ランヤード収納具であり、（ａ）は右側面図、（ｂ）接着板が回動したときの右側面図
【図５】本考案の実施例３に係る安全帯用ランヤード収納具であり、（ａ）は右側面図、（ｂ）は接着板が回動したときの右側面図
【図６】本考案の実施例４に係る安全帯用ランヤード収納具の図面であり、（ａ）は正面図、（ｂ）は底面図
【図７】本考案の実施例４に係る安全帯用ランヤード収納具であり、ランヤード先端のフックを掛けて、ランヤードを巻き取った状態を示す正面図
【考案を実施するための形態】
【００１２】
以下、本考案の実施形態を図面に基づき詳細に説明する。図１は本考案の安全帯用ランヤード収納具の図面であり、（ａ）はその正面図、（ｂ）は右側面図を示す。図２はその立体図である。
図１に示すように、矩形の鋼板からなる基板１１の上方の辺に直角にランヤード巻取片１４を折り曲げ加工することにより立設して設け、その先端に外側方向に連続して折り曲げた保持片１５を設けて、掛け具１を形成する。この保持片１５は、ランヤード用フックのかぎ口の幅よりも小さくして、フックの掛止が可能となる幅とする。
【００１３】
前記基板１１の中央部に蝶番３０により回動自在に蝶着した矩形の接着板２１の下方の辺に直角にランヤード巻取片２４を折り曲げ加工することにより立設して設け、その先端に外側方向に連続して折り曲げた保持片２５を設けて、掛け具２を形成する。
基板１１に立設されたランヤード巻取片１４と、接着板２１に立設されたランヤード巻取片２４は互いに平行となり、且つ、保持片１５と保持片２５は互いに相対する方向である外側に向かって伸び、その中心線が一直線上になっているものとする。
【００１４】
胴ベルトに装着する為のベルト挿通孔は、保持片１５と保持片２５を結ぶ中心軸と平行であり、基板１１の両方の辺に互いに平行になるように、片方の辺に２本ずつで、合計４本のベルト挿通孔１７，１７，１７，１７を穿設している。ベルト挿通孔１７，１７，１７，１７は、安全帯用胴ベルトが挿通できる大きさであり、胴ベルトをベルト挿通孔１７，１７，１７，１７に挿入することで、胴ベルトに取り付けられる構造となる。
図示しないが、ベルト挿通孔は、基板１１の垂直方向の両方の辺に沿って１本ずつの合計２本、若しくは、一方の辺に沿って２本、他方の辺に沿って１本の合計３本でもよい。
接着板の裏面、或いは基板の接着板の相対する位置の面の間に仮固定部材を配置し、軟接着する。以上の構成で安全帯用ランヤード収納具は形成される。
【００１５】
仮固定部材の必要な保持力は、安全帯用ランヤードをランヤード巻取片１４とランヤード巻取片２４の間で巻取り、ランヤードフックを保持片１４に掛止した状態、すなわち、ランヤードを安全帯用ランヤード収納具に巻取り収納した状態において、基板１１と接着板２１が固着してランヤードの巻取り状態を維持できる力である。
仮固定部材の必要な分離力は、高所作業する際、上方の取付部材に取り付けようとランヤード用フックを保持片１５から取り外してフックを上方へ引っ張った時に、保持片２５に回転方向の力Ｆが作用し、基板１１と接着板２１は分離することができる力である。
【００１６】
（実施例１）
実施例１は、仮固定部材が所定磁力を有する永久磁石の場合である。
実施例１では、図１に示すように、永久磁石３３は接着板２１の裏面に取り付け、ランヤードの巻取り状態の時は基板１１と固着している。
尚、図示しないが、永久磁石３３を基板１１の接着板２１の相対する面に取り付けても同じ効果が得られる。
この永久磁石における所定磁力は、上記で記載した保持力と同一であり、基板１１と接着板２１は固着し、巻き取っているランヤードを引っ張ると、基板１１と接着板２１が容易に分離しうる磁力である。
【００１７】
（実施例２）
実施例２は、仮固定部材が面ファスナーの場合である。
実施例２では、図４に示すように、接着板２１の裏面に面ファスナーのフック面５２を取り付け、基板１１の接着板２１に相対する面に面ファスナーのループ面５１を取り付ける。
尚、図示しないが、接着板２１の裏面に面ファスナーのループ面を取付け、基板１１の接着板２１に相対する面に面ファスナーのフック面を取り付けても同じ効果が得られる。
この面ファスナーのフック面５１とループ面５２の保持力は、ランヤード巻取状態において基板１１と接着板２１は接着し、巻き取っているランヤードを引っ張ると、基板１１と接着板２１が容易に分離しうる力である。
【００１８】
（実施例３）
実施例３は、仮固定部材がプレス成型による凹凸部材の場合である。
実施例３では、図５に示すように、接着板２１の表面から裏面に突出するよう、プレス成型により凸部６２を形成する。
基板１１の接着板２１の凸部６２と相対する箇所に、凸部６２が嵌合する形状の凹部６１を形成する。
この接着板２１の凸部と基板１１の凹部は、ランヤード巻取状態において基板１１と接着板２１は嵌合する保持力を有する形状とするものである。又、巻き取っているランヤードを引っ張ると、基板１１と接着板２１が分離しうる保持力を有する形状とするものである。
尚、図示しないが、接着板２１の裏面に凹部を設け、基板１１の接着板２１の凹部と相対する箇所に、凹部が嵌合する形状の凸部を形成しても同じ効果が得られる。
【００１９】
この安全帯用ランヤード収納具を墜落防止用安全帯の胴ベルトに装着する際、回動する掛け具２は掛け具１の下方に位置するように、安全帯用ランヤード収納具のベルト挿通孔１７，１７，１７，１７に胴ベルトを挿通して取り付ける。
掛け具２を掛け具１の下方に位置するように胴ベルトに装着すると、安全帯用ランヤード収納具に巻取り収納したランヤードを高所作業で使用する際、ランヤード用フックを作業者の腰よりも上方の構造物に掛止する為に移動させると、ランヤードが掛かっている保持片２５にランヤードの動きに同調して上方への力が作用し、掛け具２は蝶番３０を中心に回動しようとする。掛け具２が回動すると、保持片１５の先端と保持片２５の先端の間隔は巻き取っているランヤードの輪状径よりも短くなるので、ランヤード巻取片１４とランヤード巻取片２４で巻き取っていたランヤードの束は解け、ランヤードは使用状態になる。
【００２０】
逆に、掛け具１を掛け具２の下方に位置するように安全帯の胴ベルトに装着すると、ランヤード用フックを上方の構造物に掛止しようとし、保持片１５に上方への力が作用するが、掛け具１は胴ベルトに連結しているので回転しない。従って、ランヤード巻取片１４とランヤード巻取片２４で輪状に巻き取っていたランヤードの束は解けることがないので、作業者自身でランヤードを解かないと使用状態にはならない。
この為、回動する掛け具２を掛け具１の下方に位置するように、安全帯用ランヤード保持具を墜落防止用安全帯の胴ベルト装着することが必須となる。
【００２１】
（実施例４）
本考案の実施例１から実施例３では、作業者が装着している墜落防止用安全帯胴ベルトの長さ方向と直角方向にランヤードを巻取り、フックを掛止できる安全帯用ランヤード収納具について説明したが、実施例４では、胴ベルトの長さ方向と同一方向にランヤードを巻取り、フックを掛止できる安全帯用ランヤード収納具を説明する。
【００２２】
実施例４は図６に示す。実施例４の基板と掛け具、及び基板の中央部に蝶番により回動自在に蝶着した接着板と掛け具の構成は実施例１〜実施例３と同一である。
再度記載すると、矩形の鋼板からなる基板７１の左側の辺に直角にランヤード巻取片７４を立接して設け、その先端に外側方向に連続して曲げた保持片７５を設け、保持片７５の中央部付近に保持片７５と直交させて保持片７５の上辺と下辺に保持片７６，７６を設けて掛け具７を形成する。保持片７５は、ランヤード用フックのかぎ部よりも小さくして、フックの掛止が可能となる幅である。
前記基板７１の中央部に蝶番により回動自在に蝶着した矩形の接着板８１の右側の辺に直角にランヤード巻取片８４を折り曲げ加工することにより立設して設け、その先端に外側方向に連続して折り曲げた保持片８５を設け、保持片８５の中央部付近に保持片８５と直交させて保持片８５の上辺と下辺に保持片８６，８６を設けて掛け具８を形成する。
基板７１に立設されたランヤード７４と、接着板８１に立設されたランヤード巻取片８４は互いに平行となり、且つ、保持片７５と保持片８５は互いに相対する方向である外側に向かって伸び、その中心線が一直線上になっているものとする。
【００２３】
胴ベルトに装着する為のベルト挿通孔は、図６に示すように、保持片７５と保持片８５を結ぶ中心軸と直角方向であり、基板７１の両方の辺に互いに平行になるように、片方の辺に２本ずつで、合計４本のベルト挿通孔７７，７７，７７，７７を穿設している。ベルト挿通孔７７，７７，７７，７７は、安全帯用胴ベルトが挿通できる大きさである。
図示しないが、ベルト挿通孔は、基板７１の両方の辺に沿って１本ずつの合計２本、若しくは、一方の辺に沿って２本、他方の辺に沿って１本の合計３本でもよい。
接着板の裏面、或いは基板の接着板の相対する位置の面の間に仮固定部材を配置する。以上の構成で安全帯用ランヤード収納具は形成される。
【００２４】
仮固定部材は、所定磁力を有する永久磁石の場合について記載する。図６に示すように、永久磁石３３は接着板８１の裏面に取付け、ランヤードの巻取り時は基板７１と固着し、巻き取っているランヤードを取り外して引っ張ると、保持片８４に回転方向の力が作用し、基板７１と接着板８１が分離することで、ランヤードの束は解けて使用状態となる。
尚、永久磁石３３を基板７１の接着板８１の相対する面に取り付けても同じ効果が得られる。
実施例４において、仮固定部材として面ファスナーを用いても、プレス成型による凹凸部材を用いても、面ファスナーの保持力とプレス成型による凹凸部材の保持力により、永久磁石の場合と同様の効果が得られる。
【００２５】
実施例４の安全帯用ランヤード収納具も、実施例１から実施例３と同様に、ベルト挿通孔７７に安全帯用ベルトを挿通させて、墜落防止用安全帯の胴ベルトに装着する。
この安全帯用ランヤード収納具を墜落防止用安全帯の胴ベルトの腰部に装着する際、掛け具７は作業者の前側方向（腹面）に、回動する掛け具８は作業者の後側方向（背中面）になるように取り付ける。
ランヤードを巻取片７４と巻取片８４の間で水平方向に巻き取る時、保持片７６，７６と保持片８６，８６は、巻き取ったランヤードが解けてしまうことがないように、鍔の役割となる。
【００２６】
この取付け状態で安全帯用ランヤード収納具に巻取り収納されたランヤードを腰よりも上方で作業者前方の構造物に掛止しようとすると、保持片８５はランヤードの動きに同調して上方で作業者前方への力が作用し、掛け具８は蝶番３０を中心に回動しようとする。
掛け具８が回動すると、保持片７５の先端と保持片８５の先端の間隔は巻き取っているランヤードの輪状径よりも短くなるので、巻き取っていたランヤードの束が解け、ランヤードは使用状態になる。
【００２７】
逆に、掛け具７を作業者の後側（背中面）に、掛け具８を作業者の前側（腹面）に位置するように胴ベルトに装着すると、保持片７５はランヤードの動きに同調して上方で作業者前方への力が作用するが、保持片７５は胴ベルトに連結しているので、回動しない。従って、ランヤード巻取片７４とランヤード巻取片８４で輪状に巻取り収納していたランヤードの束は解けることがないので、作業者自身でランヤードを解かないと使用状態にはならない。
この為、安全帯用ランヤード保持具は、回動する掛け具８を作業者の後側（背中面）に、掛け具７を作業者の前側（腹面）に位置するように、墜落防止用安全帯の胴ベルトに装着することが必須となる。
【符号の説明】
【００２８】
１  掛け具
１１  基板
１４  ランヤード巻取片
１５  保持片
１７  ベルト挿通孔
２  掛け具
２１  接着板
２４  ランヤード巻取片
２５  保持片
３０  蝶番
３３  永久磁石
５１  面ファスナーのフック面
５２  面ファスナーのループ面
６１  凹部
６２  凸部
７  掛け具
７１  基板
７４  ランヤード巻取片
７５  保持片
７７  ベルト挿通孔
８  掛け具
８１  接着板
８４  ランヤード巻取片
８５  保持片
【図１】
0003179472.tif 000003
【図２】
0003179472.tif 000004
【図３】
0003179472.tif 000005
【図４】
0003179472.tif 000006
【図５】
0003179472.tif 000007
【図６】
0003179472.tif 000008
【図７】
0003179472.tif 000009